(57)【特許請求の範囲】
【請求項１】
エスカレーターの手すりの洗浄消毒設備であって、洗浄ブロックを含み、前記洗浄ブロックの中には作動空間が設置され、前記作動空間が洗浄機構を含み、前記洗浄機構は移動ブロックを含み、前記作動空間の左端壁の中には移動溝が形成され、前記移動溝の中には移動ブロックが上下移動できるように設置され、前記移動ブロックの上端面と前記移動溝の上端壁との間には復帰ばねが設置され、前記移動ブロックの右端面には横棒が固定的に設置され、前記横棒の下端面には積載板が固定的に設置され、前記移動ブロックが上下に移動することで洗浄ベルトが手すりに近づくことができ、
前記洗浄機構の右側には消毒機構が設置され、前記消毒機構は前記作動空間の上端壁に固定された消毒フレームを含み、前記消毒フレームの中には消毒空間が設置され、前記消毒空間の下端壁には上方に開口した出水口が設置され、前記消毒フレームの下端面には下方に開口した排水口が設置され、前記排水口と前記出水口とが連通しており、
前記消毒機構の右側には整理機構が設置され、前記整理機構は前記積載板の右端面に固定された連動棒を含み、前記連動棒の前端面にはガイド管が固定的に設置され、前記連動棒の上端面には積載ブロックが固定的に設置され、前記積載ブロックの前端面にはダボが固定的に設置され、前記ダボにはローラーが回転可能に設置され、前記積載ブロックの前端面には加熱ブロックが固定的に設置され、前記加熱ブロックが前記ローラーの上側に設置されていることを特徴とするエスカレーターの手すりの洗浄消毒設備。
【請求項２】
前記洗浄機構は前記横棒の下端面に固定された連結ブロックを含み、前記連結ブロックの下端面には処理ブロックが固定的に設置され、前記処理ブロックには上下貫通した縦溝が形成され、前記縦溝の左端壁には右方に開口した洗浄空間が設置され、前記洗浄空間の後端壁には洗浄ブロックが固定的に設置され、前記縦溝の右端壁には左方に開口した縦空間が設置され、前記縦空間の後端壁には固定棒が固定的に設置され、前記固定棒には摩擦輪が回転できるように設置され、前記縦空間の後端壁には止板溝が形成され、前記止板溝の中には止板が上下移動可能に設置され、前記止板の上端面と前記縦空間の上端壁との間には復帰ばねが連結され、前記縦空間の後端壁には斜板が固定的に設置され、前記縦空間の後端壁には貯水フレームが固定的に設置され、前記貯水フレームの中には貯水空間が設置されていることを特徴とする請求項１に記載のエスカレーターの手すりの洗浄消毒設備。
【請求項３】
前記消毒機構は横軸を含み、前記作動空間の左端壁には前記横軸が回転可能に設置され、前記横軸において左から右まで順次に伝動斜歯歯車と第一プーリが固定的に設置され、前記消毒フレームの中には従動軸が回転可能に設置され、前記従動軸には第二プーリが固定的に設置され、前記第二プーリと前記第一プーリとの間には第一ベルトが巻きつけられ、前記従動軸には輸送輪が固定的に設置され、前記輸送輪の上端面には上方に開口した貯水口が設置され、前記輸送輪が前記排水口の中に設置され、前記消毒フレームの下端面には従動斜歯歯車が固定的に設置され、前記従動斜歯歯車の中には移動空間が設置され、前記移動空間の中には横板が上下移動可能に設置され、前記横板には漏斗が上下に貫通するように設置され、前記横板の下端面にはガイド管が固定的に設置され、前記ガイド管の下端面にはスポンジブロックが固定的に設置され、前記ガイド管の中には流出溝が上下に貫通するように形成され、前記流出溝が前記漏斗と連通していることを特徴とする請求項２に記載のエスカレーターの手すりの洗浄消毒設備。
【請求項４】
前記整理機構は横軸を含み、前記後端壁には前記横軸が回転可能に設置され、前記横軸において後ろから前まで順次に従動斜歯歯車と第三プーリが固定的に設置され、前記横棒の前端面にはモータが固定的に設置され、前記モータの前端面には伝動軸が回転可能に設置され、前記伝動軸において後ろから前まで順次に第四プーリと第一洗浄輪が固定的に設置され、前記第四プーリと前記第三プーリとの間には第二ベルトが巻きつけられ、前記第一洗浄輪には前記洗浄ベルトが巻きつけられ、前記作動空間の前後端壁には二つの位置制限溝が対称に形成され、前記位置制限溝の中には挟み棒が前後移動可能に設置され、後ろの前記挟み棒を例として説明し、前記挟み棒の後端面と前記位置制限溝の後端壁には伸縮ばねが連結され、前記作動空間の下端壁には伸び出し空間が上下に貫通するように設置され、前記挟み棒の下端面には挟みブロックが固定的に設置され、前記積載板の前端面には定位ピンが固定的に設置され、前記定位ピンには第二洗浄輪が回転可能に設置されていることを特徴とする請求項３に記載のエスカレーターの手すりの洗浄消毒設備。
【請求項５】
前記貯水空間には水を入れており、前記止板が上方に移動して前記復帰ばねに押されてすぐ復帰し、前記積載板から少量の水が流れ出ることを特徴とする請求項２に記載のエスカレーターの手すりの洗浄消毒設備。
【請求項６】
前記復帰ばねと前記伸縮ばねとが正常状態にあり、前記復帰ばねが圧縮されており、前記伸縮ばねの弾力が前記復帰ばねより大きいことを特徴とする請求項４に記載のエスカレーターの手すりの洗浄消毒設備。
【請求項７】
前記第二プーリが前記第一プーリより遥かに大きいため、前記輸送輪の回転速度が早くないことを特徴とする請求項３に記載のエスカレーターの手すりの洗浄消毒設備。
【請求項８】
前記第二ベルトは緩まった状態にあり、前記移動ブロックが下方に移動すると、前記第二ベルトがきつく張ることを特徴とする請求項４に記載のエスカレーターの手すりの洗浄消毒設備。
【請求項９】
前記挟みブロックは本願発明をエスカレーターの手すりの間に挟むことができることを特徴とする請求項４に記載のエスカレーターの手すりの洗浄消毒設備。
【発明の詳細な説明】
【技術分野】
【０００１】
本願発明は洗浄設備分野に関し、具体的にはエスカレーターの手すりの洗浄消毒設備に関する。
【背景技術】
【０００２】
公共場所のエスカレーターは使う人が多いため、汚れやすくて細菌を招き、頻繁に手すりを洗浄して除菌する必要があるが、ほとんどが人力によって行い、手間がかかるうえに、エスカレーターの手すりの整理マシンはかなり占用スペースが大きく、エスカレーターの使用に不便である。
【先行技術文献】
【特許文献】
【０００３】
【特許文献１】中国特許出願公開第１０７２５３６６０号明細書
【発明の概要】
【発明が解決しようとする課題】
【０００４】
本願はエスカレーターの手すりの洗浄消毒設備を提供し、エスカレーターの使用に手間を削減し、洗浄による通行不便を解決する。
【課題を解決するための手段】
【０００５】
エスカレーターの手すりの洗浄消毒設備であって、洗浄ブロックを含み、前記洗浄ブロックの中には作動空間が設置され、前記作動空間が洗浄機構を含み、前記洗浄機構は移動ブロックを含み、前記作動空間の左端壁の中には移動溝が形成され、前記移動溝の中には移動ブロックが上下移動できるように設置され、前記移動ブロックの上端面と前記移動溝の上端壁との間には復帰ばねが設置され、前記移動ブロックの右端面には横棒が固定的に設置され、前記横棒の下端面には積載板が固定的に設置され、前記移動ブロックが上下に移動することで洗浄ベルトが手すりに近づくことができ、
前記洗浄機構の右側には消毒機構が設置され、前記消毒機構は前記作動空間の上端壁に固定された消毒フレームを含み、前記消毒フレームの中には消毒空間が設置され、前記消毒空間の下端壁には上方に開口した出水口が設置され、前記消毒フレームの下端面には下方に開口した排水口が設置され、前記排水口と前記出水口とが連通しており、
前記消毒機構の右側には整理機構が設置され、前記整理機構は前記積載板の右端面に固定された連動棒を含み、前記連動棒の前端面にはガイド管が固定的に設置され、前記連動棒の上端面には積載ブロックが固定的に設置され、前記積載ブロックの前端面にはダボが固定的に設置され、前記ダボにはローラーが回転可能に設置され、前記積載ブロックの前端面には加熱ブロックが固定的に設置され、前記加熱ブロックが前記ローラーの上側に設置されている。
【０００６】
有益的に、前記洗浄機構は前記横棒の下端面に固定された連結ブロックを含み、前記連結ブロックの下端面には処理ブロックが固定的に設置され、前記処理ブロックには上下貫通した縦溝が形成され、前記縦溝の左端壁には右方に開口した洗浄空間が設置され、前記洗浄空間の後端壁には洗浄ブロックが固定的に設置され、前記縦溝の右端壁には左方に開口した縦空間が設置され、前記縦空間の後端壁には固定棒が固定的に設置され、前記固定棒には摩擦輪が回転できるように設置され、前記縦空間の後端壁には止板溝が形成され、前記止板溝の中には止板が上下移動可能に設置され、前記止板の上端面と前記縦空間の上端壁との間には復帰ばねが連結され、前記縦空間の後端壁には斜板が固定的に設置され、前記縦空間の後端壁には貯水フレームが固定的に設置され、前記貯水フレームの中には貯水空間が設置されている。
【０００７】
有益的に、前記消毒機構は横軸を含み、前記作動空間の左端壁には前記横軸が回転可能に設置され、前記横軸において左から右まで順次に伝動斜歯歯車と第一プーリが固定的に設置され、前記消毒フレームの中には従動軸が回転可能に設置され、前記従動軸には第二プーリが固定的に設置され、前記第二プーリと前記第一プーリとの間には第一ベルトが巻きつけられ、前記従動軸には輸送輪が固定的に設置され、前記輸送輪の上端面には上方に開口した貯水口が設置され、前記輸送輪が前記排水口の中に設置され、前記消毒フレームの下端面には従動斜歯歯車が固定的に設置され、前記従動斜歯歯車の中には移動空間が設置され、前記移動空間の中には横板が上下移動可能に設置され、前記横板には漏斗が上下に貫通するように設置され、前記横板の下端面にはガイド管が固定的に設置され、前記ガイド管の下端面にはスポンジブロックが固定的に設置され、前記ガイド管の中には流出溝が上下に貫通するように形成され、前記流出溝が前記漏斗と連通している。
【０００８】
有益的に、前記整理機構は横軸を含み、前記後端壁には前記横軸が回転可能に設置され、前記横軸において後ろから前まで順次に従動斜歯歯車と第三プーリが固定的に設置され、前記横棒の前端面にはモータが固定的に設置され、前記モータの前端面には伝動軸が回転可能に設置され、前記伝動軸において後ろから前まで順次に第四プーリと第一洗浄輪が固定的に設置され、前記第四プーリと前記第三プーリとの間には第二ベルトが巻きつけられ、前記第一洗浄輪には前記洗浄ベルトが巻きつけられ、前記作動空間の前後端壁には二つの位置制限溝が対称に形成され、前記位置制限溝の中には挟み棒が前後移動可能に設置され、後ろの前記挟み棒を例として説明し、前記挟み棒の後端面と前記位置制限溝の後端壁には伸縮ばねが連結され、前記作動空間の下端壁には伸び出し空間が上下に貫通するように設置され、前記挟み棒の下端面には挟みブロックが固定的に設置され、前記積載板の前端面には定位ピンが固定的に設置され、前記定位ピンには第二洗浄輪が回転可能に設置されている。
【０００９】
有益的に、前記貯水空間には水を入れており、前記止板が上方に移動して前記復帰ばねに押されてすぐ復帰し、前記積載板から少量の水が流れ出る。
【００１０】
有益的に、前記復帰ばねと前記伸縮ばねとが正常状態にあり、前記復帰ばねが圧縮されており、前記伸縮ばねの弾力が前記復帰ばねより大きい。
【００１１】
有益的に、前記第二プーリが前記第一プーリより遥かに大きいため、前記輸送輪の回転速度が早くない。
【００１２】
有益的に、前記第二ベルトは緩まった状態にあり、前記移動ブロックが下方に移動すると、前記第二ベルトがきつく張る。
【００１３】
有益的に、前記挟みブロックは本願発明をエスカレーターの手すりの間に挟むことができる。
【発明の効果】
【００１４】
本願発明の有益効果は：本願発明は操作が簡単であり、本願発明をエスカレーターの幅木に固定して位置を調整した後、モータを起動すれば、自動的にエスカレーターの手すりを洗浄消毒でき、それに、占用面積が小さく、エスカレーターの使用に影響せず、また、直接乾燥のかわりに水を吸い除く方法を採用することで、温度は高すぎなく使用に便利である。
【図面の簡単な説明】
【００１５】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明のエスカレーターの手すりの洗浄消毒設備の全体断面の正面構成図
【図２】図２は図１におけるＡの拡大図
【図３】図３は図１におけるＢ―Ｂ方向の構成図
【図４】図４は図１におけるＣ―Ｃ方向の構成図
【発明を実施するための形態】
【００１７】
図１〜４の示したように、エスカレーターの手すりの洗浄消毒設備であって、洗浄ブロック１０を含み、前記洗浄ブロック１０の中には作動空間１１が設置され、前記作動空間１１が洗浄機構７０を含み、前記洗浄機構７０は移動ブロック１４を含み、前記作動空間１１の左端壁の中には移動溝１２が形成され、前記移動溝１２の中には移動ブロック１４が上下移動できるように設置され、前記移動ブロック１４の上端面と前記移動溝１２の上端壁との間には復帰ばね１６が設置され、前記移動ブロック１４の右端面には横棒１５が固定的に設置され、前記横棒１５の下端面には積載板４８が固定的に設置され、前記移動ブロック１４が上下に移動することで洗浄ベルト１８が手すりに近づくことができ、
前記洗浄機構７０の右側には消毒機構７１が設置され、前記消毒機構７１は前記作動空間１１の上端壁に固定された消毒フレーム２４を含み、前記消毒フレーム２４の中には消毒空間２５が設置され、前記消毒空間２５の下端壁には上方に開口した出水口２６が設置され、前記消毒フレーム２４の下端面には下方に開口した排水口２９が設置され、前記排水口２９と前記出水口２６とが連通しており、
前記消毒機構７１の右側には整理機構７２が設置され、前記整理機構７２は前記積載板４８の右端面に固定された連動棒３７を含み、前記連動棒３７の前端面にはガイド管４０が固定的に設置され、前記連動棒３７の上端面には積載ブロック３３が固定的に設置され、前記積載ブロック３３の前端面にはダボ３６が固定的に設置され、前記ダボ３６にはローラー３５が回転可能に設置され、前記積載ブロック３３の前端面には加熱ブロック３４が固定的に設置され、前記加熱ブロック３４が前記ローラー３５の上側に設置されている。
【００１８】
有益的には、前記洗浄機構７０は前記横棒１５の下端面に固定された連結ブロック１３を含み、前記連結ブロック１３の下端面には処理ブロック５０が固定的に設置され、前記処理ブロック５０には上下貫通した縦溝４９が形成され、前記縦溝４９の左端壁には右方に開口した洗浄空間５１が設置され、前記洗浄空間５１の後端壁には洗浄ブロック５２が固定的に設置され、前記縦溝４９の右端壁には左方に開口した縦空間６１が設置され、前記縦空間６１の後端壁には固定棒５４が固定的に設置され、前記固定棒５４には摩擦輪５３が回転できるように設置され、前記縦空間６１の後端壁には止板溝６０が形成され、前記止板溝６０の中には止板５６が上下移動可能に設置され、前記止板５６の上端面と前記縦空間６１の上端壁との間には復帰ばね５５が連結され、前記縦空間６１の後端壁には斜板５９が固定的に設置され、前記縦空間６１の後端壁には貯水フレーム５７が固定的に設置され、前記貯水フレーム５７の中には貯水空間５８が設置されている。
【００１９】
有益的には、前記消毒機構７１は横軸１７を含み、前記作動空間１１の左端壁には前記横軸１７が回転可能に設置され、前記横軸１７において左から右まで順次に伝動斜歯歯車２１と第一プーリ２３が固定的に設置され、前記消毒フレーム２４の中には従動軸３０が回転可能に設置され、前記従動軸３０には第二プーリ４３が固定的に設置され、前記第二プーリ４３と前記第一プーリ２３との間には第一ベルト２２が巻きつけられ、前記従動軸３０には輸送輪２８が固定的に設置され、前記輸送輪２８の上端面には上方に開口した貯水口２７が設置され、前記輸送輪２８が前記排水口２９の中に設置され、前記消毒フレーム２４の下端面には従動斜歯歯車６８が固定的に設置され、前記従動斜歯歯車６８の中には移動空間３９が設置され、前記移動空間３９の中には横板３２が上下移動可能に設置され、前記横板３２には漏斗３１が上下に貫通するように設置され、前記横板３２の下端面にはガイド管４０が固定的に設置され、前記ガイド管４０の下端面にはスポンジブロック４２が固定的に設置され、前記ガイド管４０の中には流出溝４１が上下に貫通するように形成され、前記流出溝４１が前記漏斗３１と連通している。
【００２０】
有益的には、前記整理機構７２は横軸６２を含み、前記後端壁には前記横軸６２が回転可能に設置され、前記横軸６２において後ろから前まで順次に従動斜歯歯車６８と第三プーリ６３が固定的に設置され、前記横棒１５の前端面にはモータ６９が固定的に設置され、前記モータ６９の前端面には伝動軸２０が回転可能に設置され、前記伝動軸２０において後ろから前まで順次に第四プーリ６５と第一洗浄輪１９が固定的に設置され、前記第四プーリ６５と前記第三プーリ６３との間には第二ベルト６４が巻きつけられ、前記第一洗浄輪１９には前記洗浄ベルト１８が巻きつけられ、前記作動空間１１の前後端壁には二つの位置制限溝６７が対称に形成され、前記位置制限溝６７の中には挟み棒４４が前後移動可能に設置され、後ろの前記挟み棒４４を例として説明し、前記挟み棒４４の後端面と前記位置制限溝６７の後端壁には伸縮ばね６６が連結され、前記作動空間１１の下端壁には伸び出し空間３８が上下に貫通するように設置され、前記挟み棒４４の下端面には挟みブロック４５が固定的に設置され、前記積載板４８の前端面には定位ピン４７が固定的に設置され、前記定位ピン４７には第二洗浄輪４６が回転可能に設置されている。
【００２１】
有益的には、前記貯水空間５８には水を入れており、前記止板５６が上方に移動して前記復帰ばね５５に押されてすぐ復帰し、前記積載板４８から少量の水が流れ出る。
【００２２】
有益的には、前記復帰ばね５５と前記伸縮ばね６６とが正常状態にあり、前記復帰ばね１６が圧縮されており、前記伸縮ばね６６の弾力が前記復帰ばね１６より大きい。
【００２３】
有益的には、前記第二プーリ４３が前記第一プーリ２３より遥かに大きいため、前記輸送輪２８の回転速度が早くない。
【００２４】
有益的には、前記第二ベルト６４は緩まった状態にあり、前記移動ブロック１４が下方に移動すると、前記第二ベルト６４がきつく張る。
【００２５】
有益的には、前記挟みブロック４５は本願発明をエスカレーターの手すりの間に挟むことができる。
【００２６】
本願発明の使用手順：
（１）挟みブロック４５を引き動かすことで、二つの挟みブロック４５が互いに離れ、本願発明を手すりの上側に置き、挟みブロック４５が幅木を挟み、二つの挟みブロック４５が離れ、復帰ばね１６が移動ブロック１４を下方に押し動かし、移動ブロック１４が横棒１５を下方に移動連動させ、積載板４８は横棒１５にしたがって下方に移動し、積載板４８が定位ピン４７によって第二洗浄輪４６を下方に移動連動させ、本願発明の位置を調整し、第二洗浄輪４６の下端面とエスカレーターの手すりとを接触させる。
（２）モータ６９を起動し、伝動軸２０がモータ６９と一緒に回転し、伝動軸２０が第一洗浄輪１９を回転連動させ、第一洗浄輪１９が洗浄ベルト１８を回転連動させ、洗浄ベルト１８の回転にしたがって摩擦輪５３が回転し、摩擦輪５３が回転して止板５６を上方に移動連動させ、止板５６が復帰ばね５５に押されてすぐに下方に移動し、貯水空間５８における水が洗浄ベルト１８に流れ、洗浄ベルト１８が回転してエスカレーターの手すりの表面を拭き、本願発明の取付方向を調整することで、洗浄ベルト１８の回転方向をエスカレーターの回転方向と逆にし、洗浄効果を強化し、洗浄ベルト１８が回転する時、洗浄ブロック５２が洗浄ベルト１８の表面を洗浄できる。
（３）第四プーリ６５が伝動軸２０にしたがって回転し、第四プーリ６５が第二ベルト６４の摩擦によって第三プーリ６３を連動させ、第三プーリ６３が横軸６２によって従動斜歯歯車６８を回転連動させ、従動斜歯歯車６８が噛合により伝動斜歯歯車２１を回転連動させ、伝動斜歯歯車２１が横軸１７により第一プーリ２３を回転連動させ、第一プーリ２３が第一ベルト２２の摩擦によって第二プーリ４３を回転連動させ、第二プーリ４３が従動軸３０により輸送輪２８を回転連動させる。
（４）消毒空間２５の中の酒精が出水口２６を通って貯水口２７の中に落ち、輸送輪２８が回転し、貯水口２７の中の酒精を、排水口２９と、漏斗３１と流出溝４１を経由してスポンジブロック４２に注ぎ、輸送輪２８が回転する時、消毒空間２５の中の酒精は排水口２９を通って直接に漏斗３１の中に落ちることができない。
（５）積載板４８が連動棒３７を下方に移動連動させ、連動棒３７がガイド管４０を下方に移動連動させ、ガイド管４０がスポンジブロック４２を下方に移動連動させ、スポンジブロック４２がエスカレーターの手すりと接触して消毒を行い、連動棒３７が積載ブロック３３を下方に移動連動させ、積載ブロック３３がダボ３６によってローラー３５を下方に移動連動させ、ローラー３５がエスカレーターの手すりと接触し表面の水を吸い除き、手すりがローラー３５を回転連動させ、加熱ブロック３４がローラー３５を乾燥させる。
【００２７】
上記実施例は本願発明の技術発想と特徴を説明するためだけで、本分野当業者たちに本願発明を理解し実施していただくことを目的とし、本願発明の請求範囲を制限するものではない。本願発明に基づいて実質に変わりがない変化は本願発明の請求範囲にカバーされる。
【要約】
【課題】本発明はエスカレーターの手すりの洗浄消毒設備を開示した。
【解決手段】洗浄ブロックを含み、前記洗浄ブロックの中には作動空間が設置され、前記作動空間が洗浄機構を含み、前記洗浄機構は移動ブロックを含み、前記作動空間の左端壁の中には移動溝が形成され、前記移動溝の中には移動ブロックが上下移動できるように設置され、前記移動ブロックの上端面と前記移動溝の上端壁との間には復帰ばねが設置され、前記移動ブロックの右端面には横棒が固定的に設置され、前記横棒の下端面には積載板が固定的に設置され、前記移動ブロックが上下に移動することで洗浄ベルトが手すりに近づくことができ、
前記洗浄機構の右側には消毒機構が設置され、前記消毒機構は前記作動空間の上端壁に固定された消毒フレームを含み、前記消毒フレームの中には消毒空間が設置され、前記消毒空間の下端壁には上方に開口した出水口が設置される。
【選択図】図１【図１】
0006808124.tif 000002
【図２】
0006808124.tif 000003
【図３】
0006808124.tif 000004
【図４】
0006808124.tif 000005